(57)【要約】【課題】多機能ラックの提供。【解決手段】本考案の多機能ラックは、軟質材料から、複数の置物空間を有するラック本体を生成し、ラック本体の上端は棒素子を結合すると共に、フックを有する吊掛装置を組み合わせて、ラック本体を併合して懸掛する。或いは、ラック本体の上端に孔を設置し、更に、フックによりこの孔を貫通して、ラック本体を門や壁上に吊掛する。ラック本体の両側壁は複数のポケットを有し、これらのポケットの開口は、上向けは側辺に向き、内側に物品を放置する空間を形成し、この置物空間の底面は、下垂部を形成して、安定して物品が放置できるようになっている。【選択図】    図２
0003121095.tif 000002
【実用新案登録請求の範囲】
【請求項１】
多機能ラックであって、
撓性を有する両側壁、後壁、複数の仕切り壁からなり、複数の置物空間を有し、前記後壁の上端は、懸吊片を連接し、前記懸吊片の上端に、棒素子を有するラック本体と、
フックと座体を有し、前記フックと前記座体は可動方式で組み合わされて相対して回転し、前記座体は二つの前記棒素子を容納する内空間を有する吊掛装置と、
からなることを特徴とする多機能ラック。
【請求項２】
前記仕切り壁は前高後低に傾斜し、且つ、前記仕切り壁の長さは、前記ラック本体の深さより深く、前記仕切り壁は下垂部を形成することを特徴とする請求項１に記載の多機能ラック。
【請求項３】
前記懸吊片は複数の孔を有することを特徴とする請求項１、或いは、２に記載の多機能ラック。
【考案の詳細な説明】
【技術分野】
【０００１】
本考案は、単独でも、或いは、併合しても使用でき、クローゼット内、或いは、その他の適合する場所に吊して、衣類や小物を収納できる吊り下げタイプの収納ラックに関する。
【背景技術】
【０００２】
居住空間が大きくない国家や地区は、クローゼットの空間も制限を受けるので、衣類や小物を収容する吊り下げタイプの収納用品が必要とされる。
【０００３】
一般の簡易型吊り下げタイプのラックは、充分な強度、撓性を有する材料（帆布）等からなる。その構造は、通常、上下左右面に面を有し、前方は開放状態になっていて、且つ、複数の空間に区分されている。ラックの上方には孔を有し、フックを設置してクローゼット中や壁上に吊るすことができるようになっている。
【０００４】
公知の吊り下げタイプのラックは、ラック本体に設けられた複数の置物空間を提供するだけで、その他の余分な付属空間はなく、よって、小物、例えば、靴下、ハンカチなどを収納するのには不便である。この他、ラック本体は単独でしか使用できず、二個を合わせて空間を拡張して使用することができない。
【０００５】
この他、公知のラックの置物空間の底面は平面に接近しており、物品を収納後、平面で移動しやすく安定性に欠け、ぶつかって飛び出す恐れがある。
【０００６】
更に、公知のラックは、フックやマジックテープで棒に吊るしても、ラック本体を棒に対し３６０度回転させることはできないので、使用者は対面する側の衣類を取りたいとき、或いは、衣類を対面側の空間に放置したい時、不便である。
【考案の開示】
【考案が解決しようとする課題】
【０００７】
本考案は、公知のラックが併合して置物空間の数量を拡充できない欠点を解決する吊り下げタイプのラックを提供することを目的とする。
【０００８】
本考案は、公知のラックの置物空間の底面が平面に接近し、物品を放置後の安定性が不足し、物品が容易に飛び出す欠点を解決する吊り下げタイプのラックを提供することをもう一つの目的とする。
【０００９】
本考案は、公知のラックが棒に吊るされた後、ラック本体が自由に回転できず、使用者が定点に立つ時、物品の取り出しや放置に不便であるのを改善する吊り下げタイプのラックを提供することを更なる目的とする。
【課題を解決するための手段】
【００１０】
本考案の吊り下げタイプのラックは、両側壁、後壁、及び、複数の仕切り壁からなり、吊り下げタイプのラック本体の前方は、複数の置物空間を有し、後壁上方に吊掛装置を設置し、この吊掛装置は、二組を合併した吊り下げタイプラックを連結して懸吊することができる。
【００１１】
本考案の吊り下げタイプラックは、単独のラック本体も、フックにより、門や壁上に懸吊することができる。
【００１２】
本考案の吊り下げタイプラックは、ラック本体の置物空間底面は、置物空間より長い深さの撓性材料からなり、長い撓性材が置物空間底面で下垂部を形成し、物品を置物空間に放置した後、物品は下垂部に置入されて、安定性を向上する。
【考案の効果】
【００１３】
公知のラック構造と比較すると、本考案は、本来は左右対称のラックを二つの半部に分解し、各半部は単独でも使用できるし、二つの半部を合併使用して、置物空間の数量を多くすることもできる。この他、ラック本体の側壁にポケットを設置して、小物を放置することもできる。ラックは使用者が定点で物を取ったり放置したりでき、本考案は実用性と新規性を兼ね備える。
【考案を実施するための最良の形態】
【００１４】
図２、及び、図４は、本考案ラックの好ましい実施方式を示す図で、十分な強度と撓性を有する帆布などの面材から、吊り下げタイプラックの本体１を形成する。ラック本体１は、両側壁となる側壁１１、両側壁１１間の後方に連接された後壁１８、及び、両側壁１１の間に連接された複数の垂直方向に排列された仕切り壁１３、からなり、後壁１８と両側壁１１が構成する門形空間は、複数の置物空間１０を形成する。更に、仕切り壁１３は、好ましくは傾斜状態を呈して設置され、各置物空間１０の底面は前高後低の形態を呈する。また、仕切り壁１３の長さは、置物空間１０の深さより深く、仕切り壁１３の撓性により、下方に下垂する下垂部１３１を形成する（図８で示される）。
【００１５】
仕切り壁１３は、縫合装置により後壁１８と両側壁１１に固定してもよいし、マジックテープやボタン等（図示しない）で固定してもよい。
【００１６】
図３で示されるように、本考案は、両側壁１１の間に更に側壁１１に平行な中間壁１２を設置し、ラック１に更に多くの置物空間を区切り出させる。
【００１７】
後壁１８の上方に懸吊片１５を連接し、懸吊片１５の適当な位置（中間位置が好ましい）に、ノッチ１５１を設置する。懸吊片１５上端辺は両端を貫通する通孔を形成し、棒素子１６がこの通孔を貫通し、ノッチ１５１で棒素子１６が露出する。懸吊片１５の適当な高度位置に、複数のホール１５２を設置してもよい。
【００１８】
この他、側壁１１の外側面は、ポケット１４を設置して、衣類やその他の小物を収納することができる。ポケット１４の一実施例として、軟性材（帆布、ネット等）を採用し、側壁１１外側面を覆蓋し、ポケット１４を縫って、この封合線が複数個の側開口１４１を有する門型ポケット１４２を構成する。図１で示される実施例で、ラック本体１の側壁１１は、側辺方向に側開口１４１を有するポケットを形成する。ポケット１４はマジックテープやボタン等で、側壁１１の外側面に結合してもよい。
【００１９】
図１は、二つのラック本体１を対称な状態で合併した後、本体１上端の間に、フック２を有する吊掛装置を設置した状態を示す図で、これにより、フック２をクローゼット内やその他の場所に設置された棒３に懸掛することができる。もちろん、図５のように、本体１は単独でも使用でき、フック４が上方のホール１５２を貫通した後、門や壁の上端に吊掛することもできる。
【００２０】
本考案は、使用者が更に便利に本体１両側から衣類を取り出したり収納したりできるようにするため、フック２は本体１と相対して回転できるように設計し、使用者は定点に立って、本体１を回転させることができる。
【００２１】
図２、図９A、図９Bは、吊掛装置の好ましい実施例を示す図で、フック２と座体２３からなり、座体２３は金属板を彎折してなり、座体２３の水平面に孔２３１を設置し、フック２の下端は孔２３１を貫通した後、順に、グラケット２２と直径が大きいヘッド２１を設置し、ヘッド２１がフック２が座体２３を脱離するのを防ぐ素子となり、その後、金属板の両端を、棒素子１６が貫通できる二つの内空間２３２に彎折する。フック２の直径は孔２３１の内径より小さいので、これにより、本体１に固定される座体２３とフック２は相対して回転する。つまり、フック２を棒３に吊掛する時、使用者は、定点に立って本体１を回転させれば、衣類が簡単に取り出せ、収納できる。
【００２２】
前述の吊掛装置は、二組のラック本体１を併合して懸吊する構造に適合し、その組み合わせ方式は図２で示され、二つのラック本体１上端の棒素子１６を、懸吊片１５の通孔１５から抜き、座体２３を懸吊片１５のノッチ１５１に置入し、その後、二つの棒素子１６を通孔と座体２３の内空間２３２に貫通させて、座体２３と棒素子１６を結合させ、フック２を吊棒３に懸掛すれば、本体１はフック２に相対して回転する。
【００２３】
図６は、本考案のもう一つの実施例を示す図で、ラック本体１の置物空間内の仕切り壁１３を側辺方向に傾斜する形態に設計すると共に、図８で示されるように、仕切り壁１3の長さを、置物空間の深さより深く設計して、仕切り壁１３の重量により、下垂部１３１を形成する。物品を放入する時、安定して、下垂部の空間中に置入できる。側壁１１の外面は、側開口１４１を有するポケット１４を設置し、且つ、ポケット１４は、垂直な封合線１４２により、両側に位置するポケットを区切り出す。この他、本考案は、ラック本体１上端の一側に、斜壁１７を設置し、この斜壁１７の上端と後壁が交差した後、上方に延伸する懸吊片１５を連接し、懸吊片１５の上端辺に棒素子１６を結合し、棒素子１６は吊掛装置を設置し、フック２により棒３に吊掛する。同時に、斜壁１７、後壁、仕切り壁１３により、ラック本体の上端面の間に、物品を放置できる三角形空間を形成する。
【００２４】
図７は、図６の構造において、側壁に複数の上開口１４３を有するポケット１４を設置した図である。
【図面の簡単な説明】
【００２５】
【図１】本考案の実施例による二つのラックを一つにした立体図である。
【図２】本考案の実施例による二つのラックの別々の立体図である。
【図３】本考案の実施例によるラックに中間壁を増設して、ラックに更に多くの置物区間を具備させたことを示した立体図である。
【図４】本考案の実施例による二つのラック本体を完全に分けた立体図である。
【図５】本考案の実施例による単一のラック本体をフックにより門上端に吊掛したことを示す立体図である。
【図６】本考案のもう一つの実施例によるラック構造で、二つのラックを並列吊掛したことを示す立体図である。
【図７】図６のラックにおいて、側壁に上開口を有するポケットを設置した立体図である。
【図８】本考案の実施例によるラックの仕切り壁に下垂面を設けた立体図である。
【図９Ａ】本考案のフック構造の前視平面図である。
【図９Ｂ】図９Aの側視図である。
【符号の説明】
【００２６】
１        ラック
１０      置物空間
１１      側壁
１２      中間壁
１３      仕切り壁
１３１    下垂部
１４      ポケット
１４１      側開口        
１４２      封合線
１４３      上開口
１５        懸吊片
１５１      ノッチ
１５２      孔
１６        棒素子
１７        斜壁
１８        後壁
２          フック
２１        ヘッド
２２        グラケット
２３        座体
２３１      孔
２３２      内空間
３          吊棒
４          フック
【図１】
0003121095.tif 000003
【図２】
0003121095.tif 000004
【図３】
0003121095.tif 000005
【図４】
0003121095.tif 000006
【図５】
0003121095.tif 000007
【図６】
0003121095.tif 000008
【図７】
0003121095.tif 000009
【図８】
0003121095.tif 000010
【図９Ａ】
0003121095.tif 000011
【図９Ｂ】
0003121095.tif 000012